(57)【特許請求の範囲】
【請求項１】
四隅に立設した支柱の対向する面に係止したブラケット間に棚板を架設してなる物品棚における前記対向する支柱間に、物品落下防止柵を設けた物品棚における物品落下防止装置において、
前記ブラケットを、前後支柱間で棚板より高い位置において外側に延出する水平部を有するものとし、
前記物品落下防止柵を、支柱杆を結ぶ長さの物品落下防止杆と、この物品落下防止杆の両端部から水平方向直角に後方へ折れ曲って、支柱の内側面に沿うようになっている側部杆と、この側部杆の端部から水平方向直角に外方へ折れ曲がって、支柱の別の内側面に当接するようになっている外向杆と、前記物品落下防止杆の中間部から下方に延出し、棚板の上面に沿うようになっている前向杆と、この前向杆の前端から垂下して、前記棚板の端面に当接しうる垂下杆とを有するものとし、かつ
前記物品落下防止柵における前記外向杆を前記ブラケットの水平部に載置するとともに、前記垂下杆を棚板の端面に当接させて、物品落下防止棚を前記棚板上に設置しうるようにしたことを特徴とする物品棚における物品落下防止装置。
【発明の詳細な説明】
【０００１】
【発明の属する技術分野】
本発明は、物品棚に設けた棚板上に載置された物品が、棚板端部から滑り落ちるのを防止するための物品落下防止装置に関する。
【０００２】
【従来の技術】
物品棚は、通常、前部が開口しており、ここより物品を、棚板に向かって出し入れする。しかし、振動や衝撃などで載置物が転倒落下することがあるので、これを防ぐために、物品棚に落下防止措置を講じることがある。
【０００３】
この種の物品棚に設けられる物品落下防止装置としては、実用新案登録第２５４６７４０号公報に開示されたものなどが知られている。
【０００４】
【発明が解決しようとする課題】
しかし、上記の従来の物品落下防止装置は、左右の支柱の内側面に穿設された係止孔を利用しているため、取り付け可能な係止孔の形状が限定されるとともに、左右の支柱の内側面に係止孔がない場合は取り付けることができないという問題がある。
【０００５】
また、この物品落下防止装置は、丸パイプに、偏心した軸片を溶接し、この軸片を支柱の係止孔に挿入した後、手を離すと全体が９０度回転することにより、抜け止め機構が働き、物品の落下を防止しているが、係止孔の幅が狭いため、軸片を容易に挿入することができず、取扱いが面倒である。
【０００６】
このような軸片の代わりに、係止孔に見合う形状の金具をストッパ端部に溶接して設けると、係止孔に入れやすくなるが、丸パイプにこのような形状の金具を溶接することは、手間がかかり、コスト高を招来する。
【０００７】
本発明は、上述の問題点に鑑みてなされたもので、物品棚の左右の支柱の内側面に穿設された係止孔を利用せずに装着することが可能で、かつ構成が簡単化されており、着脱が容易な物品落下防止装置を提供することを目的としている。
【０００８】
【課題を解決するための手段】
本発明によると、上記課題は、四隅に立設した支柱の対向する面に係止したブラケット間に棚板を架設してなる物品棚における前記対向する支柱間に、物品落下防止柵を設けた物品棚における物品落下防止装置において、前記ブラケットを、前後支柱間で棚板より高い位置において外側に延出する水平部を有するものとし、前記物品落下防止柵を、支柱杆を結ぶ長さの物品落下防止杆と、この物品落下防止杆の両端部から水平方向直角に後方へ折れ曲って、支柱の内側面に沿うようになっている側部杆と、この側部杆の端部から水平方向直角に外方へ折れ曲がって、支柱の別の内側面に当接するようになっている外向杆と、前記物品落下防止杆の中間部から下方に延出し、棚板の上面に沿うようになっている前向杆と、この前向杆の前端から垂下して、前記棚板の端面に、当接しうる垂下杆とを有するものとし、かつ前記物品落下防止柵における前記外向杆を前記ブラケットの水平部に載置するとともに、前記垂下杆を棚板の端面に、当接させて、物品落下防止棚を前記棚板上に設置しうるようにすることにより解決される。
【０００９】
【発明の実施の形態】
以下、本発明の実施形態を添付図面に基づいて説明する。
【００１０】
図１は、本発明が適用される物品棚(１)の一部を斜め前方から見た斜視図であり、前後左右の四隅に立設された支柱(２)は、断面ほぼコ字状の鋼材を、前後の互いに対向する面に、上下方向の開口部を向けて配設したものである。
【００１１】
支柱(２)の左右方向に対向する面には、棚板取付用の水平方向に長い係止孔(３)が多数、垂直方向に等間隔で１列に穿設されている。
【００１２】
物品棚の使用に際しては、前後の支柱(１)の係止孔(３)に、棚板用のブラケット(４)における係止片(4a)（図３）を挿入した後、ブラケット(４)の上に棚板(５)を載置する。
【００１３】
図３に示すように、ブラケット(４)は、係止片(4a)を切り起こした垂直部(4b)の下端から内方に延出する水平部(4c)と、垂直部(4b)の上端から、前後支柱間で外方に延出する水平部(4d)とからなっている。
【００１４】
ブラケット(４)の水平部(4c)の上に、棚板(５)が載置される。ブラケット(４)の垂直部(4b)の高さは、本実施形態の場合、棚板(５)の上面より高くなるようにし、側部からの物品落下防止のストッパとしてある。棚板(５)の前部には、物品落下防止柵(６)が設置されている。
【００１５】
物品落下防止柵(６)は、図２及び図３に詳細に示す形状のもので、鋼の丸棒材または丸パイプ材を加工して形成してなり、左右の支柱(２)間を結ぶ長さの物品落下防止杆(6a)と、この物品落下防止杆(6a)の両端部から水平方向直角に後方へ折れ曲って、支柱(２)の内側面に沿うようになっている側部杆(6b)と、側部杆(6b)の端部から水平方向直角に外方へ折れ曲がって、支柱(２)の別の内側面に当接しうる外向杆(6c)とを備えている。
【００１６】
また、物品落下防止杆(6a)の中間部には、丸棒材からなる係止杆(７)が溶接されている。係止杆(７)は、垂直杆(7a)と、その下端から前方へ直角に折れ曲がって、棚板(５)の上面に沿う前向杆(7b)と、前向杆(7b)の前端から下方へ直角に折れ曲がって、棚板(５)の前端面に当接しうる垂下杆(7c)とを備えている。
【００１７】
従って、側部杆(6b)と前向杆(7b)とは、物品落下防止杆(6a)を中心として、互いに逆方向を向いている。
垂直杆(7a)の長さは、棚板(５)の上面からブラケット(４)の水平部(4d)までの長さと等しくしてある。
【００１８】
このような物品落下防止柵(６)を、左端か右端を下にする斜めの姿勢で左右の支柱(２)間に差し入れ、その外向杆(6c)を片方ずつ、支柱(２)の内側面に当接させて、ブラケット(４)の水平部(4d)上に載置し、係止材(７)の垂下杆(7c)を棚板(５)の前端面に当接させることにより、簡単に図１に示すように設置される。
【００１９】
図１の例では、物品落下防止柵(６)は、物品棚(１)の前面に設置されているが、これを物品棚(１)の後面に設置することもできる。
【００２０】
【発明の効果】
本発明によれば支柱に物品落下防止柵を嵌合させるため、係止孔の形状、位置に影響されることなく、しかも簡単に取り付けることができるとともに、このように支柱に外側から嵌合させた物品落下防止柵は、そのまま上下方向の移動が可能であるため、これを取り外すことなく、棚板の高さ位置を変更することもできる。
【００２１】
【図面の簡単な説明】
【図１】  本発明物品落下防止装置を備える物品棚の一部を示す斜視図である。
【図２】  図１に示した物品落下防止装置に用いる物品落下防止柵の拡大斜視図である。
【図３】  物品落下防止柵を取り付けた状態における支柱付近の拡大横断面図である。
【符号の説明】
(１)物品棚
(２)支柱
(３)係止孔
(４)ブラケット
(4a)係止片
(4b)垂直部
(4c)(4d)水平部
(５)棚板
(６)物品落下防止柵
(6a)物品落下防止杆
(6b)側部杆
(6c)外向杆
(７)係止杆
(7a)垂直杆
(7b)前向杆
(7c)垂下杆
【図１】
0003640056.tif 000002
【図２】
0003640056.tif 000003
【図３】
0003640056.tif 000004